(57)【要約】【課題】液漏れを抑制することができる吸収性物品に関する。【解決手段】本発明の一形態に係る吸収性物品は、前後方向の両端部側に位置する前方コア部及び後方コア部と、上記前方コア部及び上記後方コア部の間に位置する中間コア部とを有する吸収性コアを具備する。上記中間コア部は、幅方向中央域に位置し、上記前方コア部及び上記後方コア部よりも坪量が高い高坪量部と、幅方向両側方域に位置し、上記高坪量部より低い坪量を有する低坪量部と、を有する。上記高坪量部は、幅方向中央部に位置する高坪量高厚み部と、上記高坪量部高厚み部の幅方向両側に位置する上記高坪量高厚み部よりも厚みが薄い高坪量低厚み部と、を有する。上記後方コア部は、前後方向に沿って延在する、上記高坪量高厚み部の後方に位置する幅広の縦溝部と、上記幅広の縦溝部よりも幅狭の縦溝部と、を有する。【選択図】図４
2020036744.tif 000002
【特許請求の範囲】
【請求項１】
前後方向の両端部側に位置する前方コア部及び後方コア部と、前記前方コア部及び前記後方コア部の間に位置する中間コア部とを有する吸収性コアを具備する吸収性物品であって、
前記中間コア部は、幅方向中央域に位置し、前記前方コア部及び前記後方コア部よりも坪量が高い高坪量部と、幅方向両側方域に位置し、前記高坪量部より低い坪量を有する低坪量部と、を有し、
前記高坪量部は、幅方向中央部に位置する高坪量高厚み部と、前記高坪量部高厚み部の幅方向両側に位置する前記高坪量高厚み部よりも厚みが薄い高坪量低厚み部と、を有し、
前記後方コア部は、前後方向に沿って延在する、前記高坪量高厚み部の後方に位置する幅広の縦溝部と、前記幅広の縦溝部よりも幅狭の縦溝部と、を有する
吸収性物品。
【請求項２】
前記後方コア部は、前後方向に沿って延在し、前記幅狭の縦溝部よりも幅広の縦溝部を前記高坪量低厚み部の後方に更に有し、
前記幅狭の縦溝部は、前記高坪量高厚み部及び前記高坪量低厚み部の後方に位置する前記幅広の縦溝部を間に介して幅方向両側に位置する
請求項１に記載の吸収性物品。
【請求項３】
前記高坪量高厚み部の後方に位置する前記幅広の縦溝部を形成する底部の厚みは、前記高坪量低厚み部の後方に位置する前記幅広の縦溝部の底部の厚みよりも薄い
請求項２に記載の吸収性物品。
【請求項４】
前記中間コア部は、前記高坪量高厚み部の幅方向中央に前後方向に沿って延在する、前記高坪量部よりも坪量の低い縦溝部を更に有する
請求項１から３のうちいずれか１項に記載の吸収性物品。
【請求項５】
前記吸収性コアは、前記中間コア部と前記後方コア部との境界に、幅方向に沿って前記低坪量部よりも坪量が低い境界溝部を有する
請求項１から請求項４のうちいずれか１項に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収性コアを備えている。例えば特許文献１に記載される吸収性コアには、排泄部対向部から後方部の一部に亘って吸収性コアの長手方向に長い形状の突出部が設けられ、また、装着者の肌に沿うように溝が設けられている。
【先行技術文献】
【特許文献】
【０００３】
【特許文献１】特開２０１５−１１２２３５号公報
【発明の概要】
【発明が解決しようとする課題】
【０００４】
生理用ナプキン等の吸収性物品は、その後方部が装着者の臀部に対応して装着される。例えば、装着者が就寝時等、仰向けの姿勢に横たわった状態では、起立時と比べておしりの形状が寝具で潰れて変形し、吸収性物品の排泄部対向部から後方部にかけて肌と吸収性物品との間に隙間が生じやすくなり、液漏れが生じる場合がある。
【０００５】
本発明の課題は、液漏れを抑制することができる吸収性物品に関する。
【課題を解決するための手段】
【０００６】
本発明の一形態に係る吸収性物品は、前後方向の両端部側に位置する前方コア部及び後方コア部と、上記前方コア部及び上記後方コア部の間に位置する中間コア部とを有する吸収性コアを具備する。
上記中間コア部は、幅方向中央域に位置し、上記前方コア部及び上記後方コア部よりも坪量が高い高坪量部と、幅方向両側方域に位置し、上記高坪量部より低い坪量を有する低坪量部と、を有する。
上記高坪量部は、幅方向中央部に位置する高坪量高厚み部と、上記高坪量部高厚み部の幅方向両側に位置する上記高坪量高厚み部よりも厚みが薄い高坪量低厚み部と、を有する。
上記後方コア部は、前後方向に沿って延在する、上記高坪量高厚み部の後方に位置する幅広の縦溝部と、上記幅広の縦溝部よりも幅狭の縦溝部と、を有する。
【発明の効果】
【０００７】
以上のように、本発明の吸収性物品によれば、液漏れを抑制することができる。
【図面の簡単な説明】
【０００８】
【図１】本発明の一実施形態に係る吸収性物品の平面図である。
【図２】図１の吸収性物品のII−II線で切断した中間コア部における模式断面図であり、本図では圧搾溝の図示を省略している。
【図３】図１の吸収性物品のIII−III線で切断した後方コア部における模式断面図である。
【図４】図１の吸収性物品の一部を構成する吸収性コアを示す平面図である。
【図５】他の実施形態に係る吸収性コアの平面図である。
【図６】更に他の実施形態に係る吸収性コアの平面図である。
【図７】吸収性物品における吸収体の他の配置例を説明するための吸収体の断面図である。
【発明を実施するための形態】
【０００９】
［ナプキンの全体構成］
以下、各図において、Ｘ軸方向が吸収性物品１の前後方向、Ｙ軸方向が幅方向、Ｚ軸方向が上下方向（厚み方向）にそれぞれ対応する。
本実施形態の吸収性物品１は、生理用ナプキンとして構成され、以下、ナプキン１と称する。本実施形態のナプキン１は、就寝時に使用されてもよく、例えば前後方向Ｘに沿って３０ｃｍ以上の長さを有していてもよい。
【００１０】
図１に示すように、ナプキン１は、本実施形態において、本体Ｍと、一対のウイング部Ｗと、一対の後方フラップ部Ｆと、を備える。
本体Ｍは、前後方向Ｘに延び、装着時に装着者の下着の内面（被装着面）に固定される。本体Ｍは、吸収体１１を有しており、装着者の経血等の液状物（以下、「液」とも称する）を吸収する機能を有する。
本体Ｍは、前後方向Ｘに沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄部の前方に対向するように構成される。
中間領域Ｍ２は、装着時に装着者の排泄部に対向するように構成される。なお、中間領域Ｍ２は、図示のように本体Ｍの前方寄りに位置してもよいし、本体Ｍの中央部に位置してもよい。
後方領域Ｍ３は、中間領域Ｍ２の後方（装着者の背側）に配置される領域であり、装着時に装着者の排泄部の後方に対向するように構成される。
【００１１】
ウイング部Ｗは、中間領域Ｍ２から幅方向の外側に大きく突出するように構成される。
後方フラップ部Ｆは、後方領域Ｍ３から幅方向の外方に膨出するように構成される。
なお、ナプキン１は、ウイング部Ｗ、及び後方フラップ部Ｆのうちの少なくとも一つを有さなくてもよい。
【００１２】
［ナプキンの各部の構成］
図１〜図３に示すように、ナプキン１は、吸収体１１と、表面シート１２と、裏面シート１３と、一対のサイドシート１４と、圧搾溝部１６と、を備える。本体Ｍにおいて、ナプキン１は、裏面シート１３、吸収体１１及び表面シート１２が積層された構成を有する。ナプキン１は、装着時に表面シート１２が装着者の肌に接するように構成される。
【００１３】
吸収体１１は、Ｘ軸方向に前後方向を有し、ナプキン１の厚み方向中央部に配置される。吸収体１１は、液を表面シート１２側の面から吸収し、内部で拡散させて当該液を保持する。吸収体１１については、後述する。
表面シート１２は、液透過性のシート材として構成され、吸収体１１上に配置される。表面シート１２は、本体Ｍにおいてナプキン１の厚み方向上方の外面を構成する。
裏面シート１３は、吸収体１１を挟んで表面シート１２と厚み方向に対向して配置される。裏面シート１３は、ナプキン１の厚み方向下方の外面を構成する。裏面シート１３は、例えば周縁部において、表面シート１２及びサイドシート１４と接着剤、熱シール等によって接合される。
一対のサイドシート１４は、表面シート１２を挟んで幅方向に相互に対向し、ナプキン１の幅方向周縁に配置される。
一対の圧搾溝部１６は、吸収体１１及び表面シート１２を圧搾加工することによって形成された線状溝として構成される。
【００１４】
（吸収体の基本構成）
図２及び図３に示すように、吸収体１１は、吸収性コア２０と、コアラップシート３０とを有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。以下、吸収性コア２０を構成する部材を吸収部材と称する。
図２及び図３に示すように、コアラップシート３０は、吸収性コア２０の表裏を被覆するように、吸収性コア２０の幅方向に巻き付けられる。コアラップシート３０のＸ軸方向に沿った長さは、吸収性コア２０の前後方向Ｘの長さ（全長）と同等に形成されるが、これに限られず、吸収性コア２０の全長よりも長くてもよいし短くてもよい。
コアラップシート３０は、吸収性コア２０を被覆し、例えば吸収性コア２０の形状を保持する機能等を有する。コアラップシートは、例えばティッシュペーパーのような薄く柔らかい紙や液透過性の不織布等で形成される。
コアラップシート３０は、１枚のシート材で構成されてもよいし、複数のシート材で構成されてもよい。コアラップシート３０は、例えば所定のパターンに塗工された接着剤等によって、表面シート１２及び裏面シート１３に接合されてもよい。
【００１５】
（吸収性コアの構成）
図４に示すように、吸収性コア２０は、前方領域Ｍ１に位置する前方コア部２１と、中間領域Ｍ２に位置する中間コア部２２と、後方領域Ｍ３に位置する後方コア部２３とを有する。前方コア部２１及び後方コア部２３は、吸収性コア２０の前後方向Ｘの両端部側に位置し、中間コア部２２は、前方コア部２１と後方コア部２３との間に位置する。中間コア部２２は、前方領域Ｍ１の後方側から中間領域Ｍ２を介して後方領域Ｍ３の前方側まで及んでいる。吸収性コア２０は、幅方向において左右対称な平面形状を有する。
【００１６】
図４には、前方コア部２１、中間コア部２２、及び後方コア部２３の幅方向の寸法である幅Ｄ１，Ｄ２，Ｄ３が示されている。中間コア部２２の幅Ｄ２は、前方コア部２１の幅Ｄ１及び後方コア部２３の幅Ｄ３の双方よりも小さい。つまり、吸収性コア２０は、前後方向Ｘ中間部に括れを有している。
前方コア部２１は後端にテーパ部２１ａを有し、後方コア部２３は前端にテーパ部２３ａを有する。テーパ部２１ａ、２３ａは、中間コア部２２の幅を前方コア部２１及び後方コア部２３に向けて増加させる。
尚、本実施形態では、括れ形状を有する吸収性コア２０を例にあげて説明するが、前後方向Ｘに幅が均一な吸収性コアであってもよい。
【００１７】
中間コア部２２は、ナプキン１の装着時に装着者の排泄部である膣口に対向配置される排泄部対向部である。前方コア部２１は中間コア部２２よりも装着者の前側（腹側）寄りに配され、後方コア部２３は中間コア部２２よりも装着者の後側（背中側）寄りに配される。
【００１８】
吸収性コア２０の肌対向面２０ａ側には複数の溝部が設けられている。
具体的には、前方コア部２１、中間コア部２２及び後方コア部２３には、縦溝部２７及び横溝部２８が設けられ、そのうえ中間コア部２２には周縁溝部２９が設けられている。
更に、前方コア部２１と中間コア部２２との間の境界部Ｐ１には境界溝部６０が設けられ、中間コア部２２と後方コア部２３との間の境界部Ｐ２には境界溝部６１が設けられている。境界部Ｐ１及び境界部Ｐ２は、それぞれ吸収性コア２０を幅方向に横切るように位置する。
尚、境界部Ｐ１とは前方コア部２１及び中間コア部２２の間のいずれにも属さない部分をいい、境界部Ｐ２とは後方コア部２３及び中間コア部２２の間のいずれにも属さない部分をいう。ただし、本発明において境界溝部は必須ではないので、境界溝部が存在しない吸収性コアでは、「いずれにも属さない部分」としての境界部は存在しない。
【００１９】
吸収性コア２０は、相対的に吸収部材の坪量が低い低坪量の縦溝部２７、横溝部２８、周縁溝部２９、境界溝部６０及び６１によりブロック状に複数分割されている。これら溝部は、ブロック状に分割されてなるブロック部に対して、厚み方向の上面（装着者の肌側に位置する面）から下方に向かって沈み込むように構成される。一方、ブロック部は、厚み方向上方に突出するように構成される。
【００２０】
吸収性コア２０において、溝部が形成されている領域、すなわち溝部を形成する底部は、溝部が形成されていないブロック部の領域と比較して、相対的に厚みが薄くなっている。溝部を形成する底部は、ブロック部と比較して、相対的に坪量が低くなっており、溝部の底部は、ブロック部と比較して剛性が低くなる。したがって、吸収性コア２０に対して外力が加わったとき、溝部を変形起点として吸収性コア２０は変形しやすくなっている。
以下の説明において、前方コア部２１、中間コア部２２及び後方コア部２３の坪量は、各溝部２７，２８，２９，６０，６１を除くブロック部分の坪量をいうものとする。
【００２１】
縦溝部２７は、前後方向Ｘに沿って延び、幅方向に沿って間隔をあけて複数配列されている。縦溝部２７は、前方コア部２１、中間コア部２２及び後方コア部２３のそれぞれを幅方向に分割するように、前後方向Ｘの全長にわたって形成されている。
横溝部２８は、幅方向Ｙに沿って延び、前後方向Ｘに沿って間隔をあけて配列されている。横溝部２８は、前方コア部２１、中間コア部２２及び後方コア部２３のそれぞれを前後方向Ｘに分割するように、幅方向Ｙの全長にわたって形成されている。なお、本実施形態では、境界部Ｐ１，Ｐ２に形成される境界溝部６０及び６１は横溝部２８に含めない。境界溝部６０及び６１の前後方向Ｘにおける長さである溝幅は、横溝部２８よりも広くなっている。
周縁溝部２９は、後述する高坪量部４の前後方向Ｘ外縁に沿って形成されている。
なお、縦溝部２７、横溝部２８及び周縁溝部２９の形状や配置などの構成は、図４に記載された構成に限定されず、吸収性コア２０の形状や要求される機能等に基づいて適宜設定される。
【００２２】
（中間コア部の構成）
図２及び図４に示すように、中間コア部２２は、吸収部材の坪量が高い高坪量部４と、高坪量部４よりも低い坪量を有する低坪量部２５を有する。高坪量部４の坪量は、前方コア部２１及び後方コア部２３の坪量よりも高い。
高坪量部４は中間コア部２２の幅方向中央域６５に位置し、前後方向Ｘに延在して設けられる。低坪量部２５は、中間コア部２２の幅方向両側方域６６、６６それぞれに位置する。一対の低坪量部２５は、前後方向Ｘに延在して高坪量部４を間に介して幅方向に沿って対向して位置する。幅方向両側方域６６、６６は、幅方向中央域６５よりも幅方向外方に位置する。
高坪量部４は、ナプキン１の装着時に装着者の排泄部に対向するように配置される。
【００２３】
更に、高坪量部４は、高坪量高厚み部４１と、高坪量低厚み部４２を有する。高坪量高厚み部４１は、幅方向Ｙ中央部に位置する。高坪量低厚み部４２は、高坪量高厚み部４１の幅方向Ｙ両側に、高坪量高厚み部４１を間に介して幅方向Ｙに沿って対向して一対位置する。
図４では、高坪量部４をドットパターンで示している。高坪量部４において、高坪量低厚み部４２のドットパターンの密度を、高坪量高厚み部４１よりも密にして示している。
中間コア部２２において、幅方向Ｙ中央に位置する縦溝部２７ｃを対称軸として左右対称に、高坪量高厚み部４１、高坪量低厚み部４２、周縁溝部２９、低坪量部２５は配置される。
【００２４】
図２に示すように、高坪量部４のうち高坪量高厚み部４１は、低坪量部２５及び高坪量低厚み部４２よりも厚く形成され、厚み方向上方（表面シート１２側）に突出する。これにより、高坪量高厚み部４１に対応するナプキン１の中間領域Ｍ２の中央部と装着者の排泄部との間の良好なフィット性が確保される。
ナプキン１では、高坪量低厚み部４２の坪量は、高坪量高厚み部４１の坪量と等しい。ただし、高坪量高厚み部４１と高坪量低厚み部４２の坪量は完全に同じである必要はなく、吸収性能の観点から、坪量の高い方と坪量の低い方の差を坪量の高い方で除した値が２０％以内であることが好ましく、１０％以内であることがより好ましい。高坪量低厚み部４２は高坪量高厚み部４１よりも吸収部材の密度が高く、高密度となっている。高坪量低厚み部４２の厚みは、高坪量高厚み部４１よりも薄く、低坪量部２５と同等である。高坪量低厚み部４２は、高坪量高厚み部４１の幅方向外方に位置し、高坪量高厚み部４１と低坪量部２５との間に位置する。
中間コア部２２に設けられるブロック部では、高坪量低厚み部４２が最も剛性が高く、次に高坪量高厚み部４１が高く、低坪量部２５が最も低い。
高坪量高厚み部４１及び高坪量低厚み部４２は、中間コア部２２の前後方向Ｘ全長に亘って延在して設けられる。
【００２５】
高坪量部４に高密度の高坪量低厚み部４２を設ける方法は特に限定されない。例えば、厚みが均一な高坪量部を形成した後、高坪量部を局所的にプレス加工し圧縮することにより、高坪量高厚み部４１と高坪量低厚み部４２とを有する高坪量部４を形成することができる。この場合、圧縮された領域が高坪量低厚み部４２となり、圧縮加工が施させていない領域が高坪量高厚み部４１となる。
【００２６】
図４に示すように、低坪量部２５は、前後方向Ｘに並ぶ５つのブロック部からなるブロック部群を構成し、当該ブロック部群が高坪量部４の幅方向両側にそれぞれ配置される。低坪量部２５は、高坪量高厚み部４１の上面から下方に向かって沈み込むように構成される。低坪量部２５は、高坪量低厚み部４２と同等の厚みで構成される。
【００２７】
中間コア部２２には、周縁溝部２９と、１つの縦溝部２７ｃと、４つの横溝部２８が設けられている。ここでは、他のコア部に設けられる縦溝部２７と区別するために中間コア部２２に位置する縦溝部を縦溝部２７ｃと称して説明するが、特に区別する必要がない場合は、単に縦溝部２７と称する。
【００２８】
図４に示すように、周縁溝部２９は、高坪量部４の少なくとも前後方向Ｘの周囲を囲むように、高坪量部４と低坪量部２５の間に形成される。周縁溝部２９は、高坪量低厚み部４２の側縁に沿って設けられる。周縁溝部２９は、低坪量部２５よりも坪量が低い。
周縁溝部２９は、前後方向Ｘに亘って設けられ、前後方向Ｘに沿って延在する直線部２９１と当該直線部２９１と連通し湾曲する湾曲部２９２とを有する。湾曲部２９２は、高坪量部４の前端部４５及び後端部４６を概ね半円形状とする。尚、半円形状に限定されず、三角形状、台形状、あるいは円弧と直線との組み合わせ形状等、面内に作用する外力を分散できる形状であることが望ましい。
周縁溝部２９は、中間コア部２２と後方コア部２３（前方コア部２１と中間コア部２２）との境界部Ｐ２（Ｐ１）に設けられる幅方向に沿って延在する境界溝部６１（６０）に連通する。
前後方向Ｘに延びる高坪量部４の後端部４６と境界溝部６１とは隣接し、高坪量部４の前端部４５と境界溝部６０とは隣接している。
【００２９】
縦溝部２７ｃは、中間コア部２２の幅方向Ｙ中央であって、高坪量高厚み部４１の幅方向Ｙ中央に位置し、前方コア部２１及び後方コア部２３それぞれの幅方向Ｙ中央に位置する縦溝部２７と同一直線上に位置し、相互に連通する。
中間コア部２２に設けられる４つの横溝部２８は、幅方向Ｙに沿って中間コア部２２を横切るように等間隔で互いに平行に配置される。横溝部２８は、周縁溝部２９の直線部２９１と直交するように配置される。
【００３０】
（後方コア部の構成）
次に、後方コア部２３について説明する。吸収性コア２０は、２種類の幅寸法の縦溝部２７と、横溝部２８とを有する。後方コア部２３において、相対的に幅の広い縦溝部２７を幅広縦溝部２７ａ、幅の狭い幅狭縦溝部を幅狭縦溝部２７ｂと称する。尚、幅広縦溝部２７ａと幅狭縦溝部２７ｂを特に区別する必要がない場合、いずれも縦溝部２７と称する。
【００３１】
後方コア部２３には等間隔の配列ピッチで５つの横溝部２８が配列されている。
後方コア部２３には等間隔の配列ピッチで５つの縦溝部２７が配列されている。後方コア部２３の５つの縦溝部２７は前後方向Ｘの全長に亘って形成される。５つの縦溝部２７のうち幅方向Ｙの中央部に位置する３つの縦溝部２７を幅広の幅広縦溝部２７ａとし、幅方向Ｙの左右両側に位置する縦溝部２７を幅狭の幅狭縦溝部２７ｂとすることにより、後方コア部２３の幅方向における剛性分布を調整している。ここで配列ピッチとは、隣接する縦溝部の中心間距離を指す。
【００３２】
３つの幅広縦溝部２７ａのうち幅方向Ｙ中央に位置する１つの幅広縦溝部２７ａ（以下、中央の幅広縦溝部２７ａと称す。）は、中間コア部２２の幅方向Ｙ中央に位置し、高坪量高厚み部４１の後方に位置する。
ここで、高坪量高厚み部４１の後方とは、図４に示すように、高坪量高厚み部４１の最も広い幅を規定する両側縁部を通り前後方向に沿って延在する一対の仮想線分Ｌ１、Ｌ１を引いたときに、後方コア部２３であって、一対の仮想線分Ｌ１、Ｌ１により挟まれた領域Ｒ１を指す。
高坪量高厚み部４１の後方に位置するとは、中央の幅広縦溝部２７ａの少なくとも一部が領域Ｒ１内に位置すればよい。すなわち、中央の幅広縦溝部２７ａが領域Ｒ１内に収まって位置する形態はもちろんのこと、中央の幅広縦溝部２７ａの一部が領域Ｒ１内に位置し、他の部分が領域Ｒ１の幅方向Ｙ外方に位置する形態も含む。
【００３３】
３つの幅広縦溝部２７ａのうち幅方向Ｙ左右両側に位置する幅広縦溝部２７ａ（以下、左右の幅広縦溝部２７ａと称す。）はそれぞれ高坪量低厚み部４２の後方に位置する。
ここで、高坪量低厚み部４２の後方とは、図４に示すように、高坪量低厚み部４２の最も幅方向Ｙの外側に位置する両側縁部を通り前後方向に沿って延在する一対の仮想線分Ｌ２、Ｌ２を引いたときに、後方コア部２３であって、仮想線分Ｌ１とＬ２により挟まれた領域Ｒ２を指す。
高坪量低厚み部４２の後方に位置するとは、左右の幅広縦溝部２７ａそれぞれが、少なくとも一部が領域Ｒ２内に位置すればよい。すなわち、左右の幅広縦溝部２７ａのそれぞれが領域Ｒ２内に収まって位置する形態はもちろんのこと、左右の幅広縦溝部２７ａそれぞれにおいて、一部が領域Ｒ２内に位置し、他の部分が領域Ｒ２の幅方向外方に位置する形態も含む。
【００３４】
なお、吸収性コア２０において、仮想線分Ｌ２より幅方向Ｙの内側が中央域６５であり、外側が側方域６６である。当該「高坪量部４の幅方向長さが最も大きい部分」は、着用者の鼠蹊部へのフィット性を考慮すると、中間コア部２２の縦方向の中央部に存在することが好ましい。
【００３５】
図３に示すように、吸収性コア２０の中央の幅広縦溝部２７ａの溝を形成する底部の厚みｔ１は、左右の幅広縦溝部２７ａの溝を形成する底部の厚みｔ２よりも薄くなっている。本実施形態では、後方コア部２３に設けられる各ブロック部は高さが同じであるので、中央の幅広縦溝部２７ａの溝深さは、左右の幅広縦溝部２７ａの溝深さよりも深いと言い換えることができる。
【００３６】
前方コア部２１においても、後方コア部２３と同様に、幅方向中央部に３つの幅広縦溝部２７が設けられ、これら３つの幅広縦溝部２７を間に介して両側に１つずつ幅狭縦溝部２７が設けられる。前方コア部２１において、３つの幅広縦溝部２７のうち中央の幅広縦溝部２７は高坪量高厚み部４１の前方に位置する。
【００３７】
［本実施形態における作用、効果］
本実施形態における吸収性コア２０は、中間コア部２２において、幅方向Ｙ中央に高坪量部４を有し、その両側に低坪量部２５を有する。低坪量部２５は高坪量部４よりも坪量が低く剛性が低くなっている。吸収性コア２０の中間コア部２２は、装着時、幅方向外側にある装着者の両脚から幅方向Ｙ内側に向かう外力を受けると、低坪量部２５が先に変形し、吸収性コア２０に作用する外力が吸収或いは緩和される。したがって、高坪量部４に伝播する外力が低減し、外力による高坪量部４の変形が抑制され、高坪量部４の変形による液漏れが抑制される。
また、高坪量部４は、低坪量部２５と比べて吸収部材の坪量が高いことから、十分な吸収容量を有しているので、液が吸収性コア２０の側縁へ到達することが抑制され、横漏れが抑制される。
【００３８】
また、高坪量部４は、幅方向Ｙ両側部が圧縮加工されることによって厚みが減じられた高坪量低厚み部４２を有する。このように厚みが減じられることにより、装着時のごわつき感が低減され、快適な使用感を装着者に与えることができる。
高坪量高厚み部４１は、中間コア部２２の全長にわたって肌方向に向かって突出して形成される。これにより、ナプキン１の装着時において、高坪量高厚み部４１と排泄部との間の良好なフィット感を確保することができる。
【００３９】
また、高坪量低厚み部４２は、高坪量高厚み部４１と比較して厚みは薄いものの、吸収部材が密に構成されており、液を引き抜く力に優れる。吸収性コア２０は肌面側からの液を引き抜く作用を有しており、この液を引き抜く力は、吸収性コア２０の毛管力によって生じ、毛管力は吸収性コアを構成する吸収部材の密度に比例して強くなる。つまり、高密度の高坪量低厚み部４２を設けることにより、毛管力が働き、肌面側から液が引き抜かれやすく、引き抜かれた液が吸収性コアの側縁へ到達することが抑制される。
更に、圧縮加工された高密度の高坪量低厚み部４２が排泄部対向部となる中間コア部２２の全長に亘って前後方向Ｘに延在して設けられているので、高坪量低厚み部４２で吸収された液が前後方向Ｘに拡散するように拡散方向が誘導され、横漏れが抑制される。
【００４０】
本実施形態においては、前後方向Ｘに延在する高坪量高厚み部４１の後方に少なくとも１つ幅広縦溝部２７ａが設けられる。
高坪量高厚み部４１は後方コア部２３よりも坪量が高く剛性が高く、変形しにくくなっている。この高坪量高厚み部４１の変形しにくさが、高坪量高厚み部４１の後方へ伝播して後方コア部２３の柔軟性に影響を及ぼすことを、坪量の低い幅広縦溝部２７ａ(中央の幅広縦溝部２７ａ)を設けることにより抑制することができる。
尚、高坪量高厚み部４１の後方に位置する幅広縦溝部２７ａの数は１つに限られず複数でもよい。また、本実施形態においては、高坪量高厚み部４１の幅方向Ｙ中央と幅広縦溝部２７ａの幅方向Ｙ中央が前後方向Ｘに沿った同一直線上に位置する例をあげたが、この形態に限定されず、高坪量高厚み部４１の幅方向Ｙ中央と幅広縦溝部２７ａの幅方向Ｙ中央とがずれていてもよく、高坪量高厚み部４１の後方に幅広縦溝部２７ａが位置すればよい。
【００４１】
そのうえ、本実施形態においては、後方コア部２３において、幅方向Ｙ中央域に幅広縦溝部２７ａが位置し、幅方向Ｙ両側方域に幅狭縦溝部２７ｂが位置する。これにより、幅広縦溝部２７ａが位置する幅方向Ｙ中央域は、幅狭縦溝部２７ｂが位置する幅方向Ｙ両側方域よりも曲げ方向の剛性が低くなる。
このように溝幅の異なる縦溝部を設けられ後方コア部２３の幅方向における剛性分布が調整されることにより、ナプキン１が装着者により装着された際、後方コア部２３において、幅広縦溝部２７ａが位置する幅方向中央域６５は、幅広縦溝部２７ａを変形起点として、幅狭縦溝部２７ｂが位置する両側方域６６、６６よりも優先的に装着者の肌側に向かって突出するように変形しやすい。後方コア部２３の幅方向中央域６５は臀部の臀裂に沿うように肌側に突出するように変形するので、装着者の臀裂と吸収性物品との間の隙間が小さくなる。更に、幅方向両側方域６６は、幅狭縦溝部２７ｂが位置することにより、優先的に変形する中央域６５に追従し、臀部の膨らみに沿って変形しやすい。
これにより、臀部とナプキン１との間の隙間が小さくなり、フィット性が向上し、後方部での漏れ、特に横漏れが抑制される。また、装着者が仰向けに横たわり寝具により臀部が変形した場合においても後方コア部２３は体の形状に沿って変形しやすいので、装着者の排泄部から排泄された経血等の液状物が後方部に流れ出てきても、吸収性コア２０に速やかに吸収され、後方部における液漏れが抑制される。
【００４２】
以上のように、本実施形態の吸収性物品は、高坪量低厚み部及び高坪量高厚み部を有する高坪量部が設けられることにより、ごわつき感が低減されて快適な使用感を装着者に与えつつ、十分な液吸収容量を有し、排泄部へのフィット性が高く、中間コア部において横洩れしにくい、吸収性能に優れたものとなっている。
更に、本実施形態の吸収性物品は、高坪量高厚み部の後方に幅広縦溝部が設けられることにより、高坪量高厚み部の変形しにくさが後方コア部の柔軟性に影響することが抑制される。これに加えて、後方コア部に幅寸法の異なる縦溝部が複数設けられることにより、後方コア部は柔軟性を有し体の形状に沿って変形しやすくなって、後方コア部でのフィット性が向上し、後方部での漏れ、特に横漏れが抑制される。
また、本実施形態における吸収性コア２０は、中間コア部２２に設けられる高坪量部４のような吸収性コア２０全体において相対的に坪量の高い領域が、後方コア部２３に設けられていないため、ナプキン１の後方部のごわつき感が低減され快適な使用感を装着者に与えつつ、上述のようにフィット性が向上しているので液漏れしにくいものとなっている。
【００４３】
更に、本実施形態のように、後方コア部２３に幅広縦溝部２７ａが複数本、中間コア部２２の高坪量部４の後方に配置されていることにより、着用時に幅方向中央域６５が肌側へ向かって突出した際、高坪量部４がリフトアップされて、排泄部への密着性が高まるので、体液の横漏れ抑制に有効である。また、本実施形態のように、中間コア部２２と後方コア部２３との間に境界溝部６１が存在し、高坪量部４の周囲を取り囲むように周縁溝部２９が存在していると一層高坪量部４全体がリフトアップされ易くなる。特に、高坪量部４の前後方向Ｘ後端部側の幅が前後方向Ｘ中央側の幅よりも狭い構造では、一層リフトアップされ易い。
【００４４】
また、本実施形態においては、中間コア部２２の前後方向に延在する高坪量低厚み部４２の後方に幅広縦溝部２７ａが設けられる。
高坪量低厚み部４２は後方コア部２３よりも坪量が高く剛性が高く、変形しにくくなっている。この高坪量低厚み部４２の変形しにくさが、高坪量低厚み部４２の後方へ伝播して後方コア部２３の柔軟性に影響を及ぼすことを、坪量の低い幅広縦溝部２７ａ(左右の幅広縦溝部２７ａ)を設けることにより抑制することができる。
従って、後方コア部２３に柔軟性を持たせることができ、後方コア部でのフィット性が向上し、後方部での漏れが更に抑制される。
【００４５】
また、本実施形態の吸収性コア２０では、図３に示すように、中央の幅広縦溝部２７ａの溝を形成する底部の厚みｔ１は、左右の幅広縦溝部２７ａの溝を形成する底部の厚みｔ２よりも薄くなっている。
これにより、中央の幅広縦溝部２７ａを形成する底部の剛性は、左右の幅広縦溝部２７ａを形成する底部よりも低くなる。従って、ナプキン１の装着時、吸収性コア２０は、中央の幅広縦溝部２７ａを変形起点として、左右の幅広縦溝部２７ａよりも優先的に装着者の肌側に向かって突出するように変形しやすくなり、臀部の膨らみに対して急激に窪む形状となっている臀裂部分にナプキン１が沿いやすくなる。これにより、よりフィット性が向上し、後方部での漏れが抑制される。
尚、本実施形態では、底部の厚みを変えることにより溝部を形成する底部の剛性を変えているが、底部の厚みを同等とし、中央の幅広縦溝部２７ａの溝幅を、左右の幅広縦溝部２７ａよりも広くすることによって、溝部を形成する底部の剛性を変えても良い。
【００４６】
また、高坪量高厚み部４１の幅方向Ｙ中央に前後方向Ｘに沿って延在する高坪量部４よりも坪量の低い縦溝部２７ｃが設けられていることにより、排泄部に高坪量高厚み部４１が沿いやすく、排泄部へのフィット性がより向上し、液漏れが抑制される。
【００４７】
また、中間コア部２２と後方コア部２３との境界部Ｐ２に坪量の低い境界溝部６１が設けられることにより、境界溝部６１を変形起点として前後方向Ｘにナプキン１は折れ曲がりやすくなり、装着者の体の排泄部から背側への形状に沿ってナプキン１が変形しやすく、フィット性が向上し、液漏れが抑制される。
また、境界溝部６１が設けられることにより、中間コア部２２に作用する外力は境界溝部６１で緩和され、中間コア部２２での変形が後方コア部２３に伝搬しにくい。同様に、後方コア部２３での変形が中間コア部２２に伝播しにくい。このように中間コア部２２及び後方コア部２３は、一方の変形に他方が影響されにくく、吸収性コアの変形が抑制され、液漏れが抑制される。
【００４８】
また、本実施形態では、ナプキン１の前後方向Ｘの全長に亘って縦溝部２７の他に横溝部２８が配置されるので、ナプキン１は、前後方向Ｘで装着者の装着対象部位の形状に沿って変形しやすく、フィット性が向上する。
また、本実施形態では、低坪量で変形しやすい縦溝部２７、横溝部２８、周縁溝部２９、境界溝部６０及び６１を設けることで、吸収性コア２０の柔軟性を高めて、装着性の向上を図ることができる。また、溝部を設けることにより溝の空間に排泄された液を素早く引き込み、吸収性コア２０内に取り込むことができ、液吸収速度を高めることができる。また、吸収性コア２０が複数のブロック部に区画されることで、吸収性コア２０の表面積を高め、液を効率よく吸収し保持することができる。
【００４９】
また、上述の実施形態においては、吸収性コア２０は括れ部を有し、排泄部対向部となる中間コア部２２の幅が狭くなるように形成されるので、装着時、吸収性コア２０が受ける幅方向外側にある装着者の両脚から幅方向内側に向かう外力を減少させることができ、中間コア部２２の変形が抑制される。これにより、ナプキン１は装着者の体にフィットしやすく、肌とのずれが抑制される。
【００５０】
［本実施形態の追加説明］
以下、本実施形態の説明を補足する。
各構成の数値例について説明するが、これら数値は一例であり、ここに記載する数値に限定されない。
（各構成の数値例）
以下、高坪量部４の幅、高坪量部高厚み部４１の幅、高坪量低厚み部４２の幅、低坪量部２５の幅は、高坪量部４の幅が前後方向Ｘに関して均一でない場合には、高坪量部４の幅が最も大きい部分において、幅方向に仮想線を引いた箇所における幅である。
中間コア部２２の幅方向中央域に配される高坪量部４の幅は、好ましくは１５ｍｍ以上、より好ましくは２０ｍｍ以上であり、そして、好ましくは６０ｍｍ以下、より好ましくは５０ｍｍ以下である。当該幅をこのような範囲とすることで、十分な吸収量を確保することができる。
高坪量部４は、その両側部が圧縮されることによって局所的に厚みが減じられた高坪量低厚み部４２を有する。このように厚みが減じられることにより、装着時のごわつき感が低減される。
図２に示すように、高坪量高厚み部４１の幅ａは、好ましくは１０ｍｍ以上、より好ましくは１５ｍｍ以上であり、そして、好ましくは４０ｍｍ以下、より好ましくは３０ｍｍ以下である。吸収性コア２２の突出部となる高坪量高厚み部４１の幅をこのような範囲とすることで、装着者の排泄部へのフィット性を高めることができる。
擦れの発生を抑制しつつ、吸収された液を前後方向に拡散する観点から、高坪量低厚み部４２の幅ｂは、高坪量高厚み部４１の幅ａよりも狭いことが好ましい。また、同様の観点から、高坪量低厚み部４２の幅ｂは、好ましくは２ｍｍ以上、より好ましくは３ｍｍ以上であり、そして、好ましくは１０ｍｍ以下、より好ましくは７．５ｍｍ以下である。
低坪量部２５の幅ｃは、好ましくは５ｍｍ以上、より好ましくは７．５ｍｍ以上であり、そして、好ましくは３０ｍｍ以下、より好ましくは２０ｍｍ以下である。
【００５１】
高坪量部４の坪量は、液吸収容量を十分に確保する観点から好ましくは２５０ｇ／ｍ２以上、より好ましくは３００／ｍ２以上であり、そして、好ましくは７００ｇ／ｍ２以下、より好ましくは６５０ｇ／ｍ２以下である。
低坪量部２５の坪量は、液吸収性を適当なものとしつつ剛性を適度に低くする観点から好ましくは９０ｇ／ｍ２以上、より好ましくは１００ｇ／ｍ２以上であり、そして、好ましくは３５０ｇ／ｍ２以下、より好ましくは３００ｇ／ｍ２以下である。
【００５２】
高坪量高厚み部４１の厚みは、好ましくは２ｍｍ以上、より好ましくは２．５ｍｍ以上であり、そして、好ましくは９ｍｍ以下、より好ましくは８ｍｍ以下である。
高坪量低厚み部４２及び低坪量部２５の厚みは、ごわつき感低減の観点から、好ましくは１．５ｍｍ以上、より好ましくは２ｍｍ以上であり、そして、好ましくは６ｍｍ以下、より好ましくは５．５ｍｍ以下である。
高坪量高厚み部４１の厚みと高坪量低厚み部４２との厚みの差は、高坪量高厚み部４１の排泄部へのフィット性の観点から、好ましくは０．５ｍｍ以上、より好ましくは１ｍｍ以上であり、そして、好ましくは５ｍｍ以下、より好ましくは４ｍｍ以下である。
【００５３】
周縁溝部２９、縦溝部２７及び横溝部２８の幅は、好ましくは０．５ｍｍ以上、より好ましくは１ｍｍ以上であり、そして、好ましくは１０ｍｍ以下、より好ましくは５ｍｍ以下である。
中間コア部２２と後方コア部２３（前方コア部２１）との境界に配列される、言い換えると、高坪量部４と後方コア部２３（前方コア部２１）との間にＹ軸方向に延びて配列される、境界溝部６１（６０）の幅は、好ましくは１．５ｍｍ以上、より好ましくは２ｍｍ以上であり、そして、好ましくは３．５ｍｍ以下、より好ましくは３ｍｍ以下である。
また、幅広縦溝部２７ａの幅は、好ましくは１ｍｍ以上、より好ましくは２ｍｍ以上である。また、幅広縦溝部２７ａの幅は、幅狭縦溝部２７ｂの溝幅の１．５倍以上であることが好ましく、更に、２倍以上であることが、後方コア部２３の幅方向中央域の剛性を幅方向側方域よりも適度に小さくする観点から好ましい。
【００５４】
周縁溝部２９、縦溝部２７及び横溝部２８の坪量は、ブロック部の坪量よりも低く、例えば２５ｇ／ｍ２以上である。そして、３００ｇ／ｍ２以下である。
図３に示すように、後方コア部２３の幅方向中央域６５に配置される３つの幅広縦溝部２７ａのうち、中央に配置される幅広縦溝部２７ａの底部厚みｔ１は、他の２つの幅広縦溝部２７ａの底部厚みｔ２よりも薄い。真ん中に配置される幅広縦溝部２７ａの底部厚みｔ１は０．２５ｍｍ以上、更に０．５ｍｍ以上が好ましく、そして、５ｍｍ以下、更に４ｍｍ以下が好ましい。
【００５５】
（吸収性コアの各部の幅の測定方法）
高坪量高厚み部、高坪量低厚み部、低坪量部、側方外部の幅は、吸収性コアを水平に置き、マイクロスコープ（ＫＥＹＥＮＣＥ社製ＶＨＸ−１０００）により測定倍率を調整して肌対向面２０ａを拡大することで、幅を測定する。
【００５６】
（吸収性コアの各部の坪量の測定方法）
測定対象である吸収性コア２０の各部をフェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００５７】
（吸収性コアの各部の厚みの測定方法）
測定対象である吸収性コアの厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、直径２５ｍｍ、厚み３ｍｍ、質量２．４５ｇの円形のアルミニウムプレートを、水平且つ静かに置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、上記切断されたサンプルの断面を、例えば、マイクロスコープ（ＫＥＹＥＮＣＥ社製ＶＨＸ−１０００）を用いて２０〜１００倍の倍率で観察し、測定してもよい。
【００５８】
以上、本発明の実施形態について説明したが、本発明は上述の実施形態にのみ限定されるものではなく、本発明の要旨を逸脱しない範囲内において種々変更を加え得ることは勿論である。
例えば上述の実施形態では、吸収性物品として生理用ナプキンの例を示したが、これに限定されない。本発明の吸収性物品は、例えば、失禁パットやおりものシート等であってもよい。
また、上述の実施形態においては、後方コア部２３に３つの幅広縦溝部２７ａを設ける例をあげたが、図５に示す吸収性コア７０のように、高坪量高厚み部４１の後方に１つの幅広縦溝部２７ａを設け、その他の縦溝部を幅狭縦溝部２７ｂとしてもよい。
また、上述の実施形態においては、吸収性コア２０が括れのある形状を有していたが、図６に示す吸収性コア７１のように、前後方向の全長に亘って幅が均一の形状であってもよい。
図５及び図６では、上述の実施形態と同様の構成については同様の符号を付し、説明を省略する。このように、後方コア部２３に、高坪量高厚み部４１の後方に少なくとも１つの幅広縦溝部２７ａが設けられ、更に、幅狭縦溝部２７ｂが設けられることにより、上述した作用、効果を得ることができる。
【００５９】
また、上述した実施形態では、高坪量部４が厚み方向Ｚの上側に突出していたが、これに代えて、図７に示すように、厚み方向Ｚの下側に突出する形態であってもよい。また、上述した実施形態では、吸収性コア２０に設けられた縦溝部２７、横溝部２８、周縁溝部２９及び境界溝６０，６１等の各種溝部が厚み方向Ｚ上側に開口を有していたが、これに代えて、図７に示すように、厚み方向Ｚ下側に開口を有する物であっても良い。
前述した本発明の実施形態に関し、さらに以下の付記を開示する。
【００６０】
（１）
前後方向の両端部側に位置する前方コア部及び後方コア部と、前記前方コア部及び前記後方コア部の間に位置する中間コア部とを有する吸収性コアを具備する吸収性物品であって、前記中間コア部は、幅方向中央域に位置し、前記前方コア部及び前記後方コア部よりも坪量が高い高坪量部と、幅方向両側方域に位置し、前記高坪量部より低い坪量を有する低坪量部と、を有し、前記高坪量部は、幅方向中央部に位置する高坪量高厚み部と、前記高坪量部高厚み部の幅方向両側に位置する前記高坪量高厚み部よりも厚みが薄い高坪量低厚み部と、を有し、前記後方コア部は、前後方向に沿って延在する、前記高坪量高厚み部の後方に位置する幅広の縦溝部と、前記幅広の縦溝部よりも幅狭の縦溝部と、を有する吸収性物品。
（２）
前記後方コア部は、前後方向に沿って延在し、前記幅狭の縦溝部よりも幅広の縦溝部を前記高坪量低厚み部の後方に更に有する（１）に記載の吸収性物品。
（３）
前記幅狭の縦溝部は、前記高坪量高厚み部及び前記高坪量低厚み部の後方に位置する前記幅広の縦溝部を間に介して幅方向両側に位置する（２）に記載の吸収性物品。
（４）
前記高坪量高厚み部の後方に位置する前記幅広の縦溝部を形成する底部の厚みは、前記高坪量低厚み部の後方に位置する前記幅広の縦溝部の底部の厚みよりも薄い（２）又は（３）に記載の吸収性物品。
（５）
前記中間コア部は、前記高坪量高厚み部の幅方向中央に前後方向に沿って延在する、前記高坪量部よりも坪量の低い縦溝部を更に有する、（１）から（４）のいずれか１つに記載の吸収性物品。
（６）
前記吸収性コアは、前記中間コア部と前記後方コア部との境界に、幅方向に沿って前記低坪量部よりも坪量が低い境界溝部を有する、（１）から（５）のいずれか１つに記載の吸収性物品。
（７）
前記高坪量部の後端部と前記境界溝部とは隣接している、（６）に記載の吸収性物品。
（８）
前記吸収性コアは、前記前方コア部と前記中間コア部との境界に、幅方向に沿って前記低坪量部よりも坪量が低い境界溝部を有する、（１）から（６）のいずれか１つに記載の吸収性物品。
（９）
前記高坪量部の前端部と前記境界溝部とは隣接している、（８）に記載の吸収性物品。
（１０）
前記中間コア部は、前記高坪量部の少なくとも前後方向外縁に沿って前記高坪量部と前記低坪量部の間に形成される周縁溝部を有する、（１）から（７）のいずれか１つに記載の吸収性物品。
（１１）
前記周縁溝部は、前記高坪量低厚み部の側縁に沿って設けられる、前記低坪量部よりも坪量が低い溝である、（１０）に記載の吸収性物品。
（１２）
前記吸収性コアは、前記中間コア部と、前記後方コア部又は前記前方コア部との境界に、幅方向に沿って前記低坪量部よりも坪量が低い境界溝部を有しており、前記周縁溝部は、該境界溝部に連通する、（１０）又は（１１）に記載の吸収性物品。
（１３）
前記中間コア部の幅方向中央域に配される前記高坪量部の幅は、好ましくは１５ｍｍ以上、より好ましくは２０ｍｍ以上であり、そして、好ましくは６０ｍｍ以下であり、より好ましくは５０ｍｍ以下である、（１）から（１２）のいずれか１つに記載の吸収性物品。
（１４）
前記高坪量高厚み部の幅は、好ましくは１０ｍｍ以上であり、より好ましくは１５ｍｍ以上であり、そして、好ましくは４０ｍｍ以下、より好ましくは３０ｍｍ以下である、（１）から（１３）のいずれか１つに記載の吸収性物品。
（１５）
前記高坪量低厚み部の幅は、前記高坪量高厚み部の幅よりも狭い、（１）から（１４）のいずれか１つに記載の吸収性物品。
（１６）
前記高坪量低厚み部の幅は、好ましくは２ｍｍ以上、より好ましくは３ｍｍ以上であり、そして、好ましくは１０ｍｍ以下、より好ましくは７．５ｍｍ以下である、（１）から（１５）のいずれか１つに記載の吸収性物品。
（１７）
前記低坪量部の幅は、好ましくは５ｍｍ以上、より好ましくは７．５ｍｍ以上であり、そして、好ましくは３０ｍｍ以下、より好ましくは２０ｍｍ以下である、（１）から（１６）のいずれか１つに記載の吸収性物品。
（１８）
前記幅広の縦溝部の幅は、好ましくは１ｍｍ以上、より好ましくは２ｍｍ以上である、（１）から（１７）のいずれか１つに記載の吸収性物品。
（１９）
前記幅広の縦溝部の幅は、前記幅狭の縦溝部の溝幅の１．５倍以上、好ましくは２倍以上である、（１）から（１８）のいずれか１つに記載の吸収性物品。
（２０）
前記中間コア部の幅は、前記前方コア部の幅及び前記後方コア部の幅の双方よりも小さい、（１）から（１９）のいずれか１つに記載の吸収性物品。
（２１）
前記前方コア部は、前後方向に沿って延在する、前記高坪量高厚み部の前方に位置する幅広の縦溝部と、前記幅広の縦溝部よりも幅狭の縦溝部と、を有する、（１）から（２０）のいずれか１つに記載の吸収性物品。
（２２）
前記高坪量部は、その前後方向後端部が前後方向中央部よりも幅が狭い形状である、（１）から（２１）のいずれか１つに記載の吸収性物品。
（２３）
前記吸収性物品は生理用ナプキンである、（１）から（２２）のいずれか１つに記載の吸収性物品。
【符号の説明】
【００６１】
１、７０、７１…ナプキン（吸収性物品）
４…高坪量部
１１…吸収体
２０…吸収性コア
２１…前方コア部
２２…中間コア部
２３…後方コア部
２５…低坪量部
２７ａ…幅広縦溝部（幅広の縦溝部）
２７ｂ…幅狭縦溝部（幅狭の縦溝部）
４１…高坪量高厚み部
４２…高坪量低厚み部
【図１】
2020036744.tif 000003
【図２】
2020036744.tif 000004
【図３】
2020036744.tif 000005
【図４】
2020036744.tif 000006
【図５】
2020036744.tif 000007
【図６】
2020036744.tif 000008
【図７】
2020036744.tif 000009
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
前後方向の両端部側に位置する前方コア部及び後方コア部と、前記前方コア部及び前記後方コア部の間に位置する中間コア部とを有する吸収性コアを具備する吸収性物品であって、
前記中間コア部は、幅方向中央域に位置し、前記前方コア部及び前記後方コア部よりも坪量が高い高坪量部と、幅方向両側方域に位置し、前記高坪量部より低い坪量を有する低坪量部と、を有し、
前記高坪量部は、幅方向中央部に位置する高坪量高厚み部と、前記高坪量部高厚み部の幅方向両側に位置する前記高坪量高厚み部よりも厚みが薄い高坪量低厚み部と、を有し、
前記後方コア部は、前後方向に沿って延在する、前記高坪量高厚み部の後方に位置する幅広の縦溝部と、前記幅広の縦溝部よりも幅狭の縦溝部と、を有し、
前記後方コア部は、前後方向に沿って延在し、前記幅狭の縦溝部よりも幅広の縦溝部を前記高坪量低厚み部の後方に更に有する
吸収性物品。
【請求項２】
前記幅狭の縦溝部は、前記高坪量高厚み部及び前記高坪量低厚み部の後方に位置する前記幅広の縦溝部を間に介して幅方向両側に位置する
請求項１に記載の吸収性物品。
【請求項３】
前記高坪量高厚み部の後方に位置する前記幅広の縦溝部を形成する底部の厚みは、前記高坪量低厚み部の後方に位置する前記幅広の縦溝部の底部の厚みよりも薄い
請求項２に記載の吸収性物品。
【請求項４】
前記中間コア部は、前記高坪量高厚み部の幅方向中央に前後方向に沿って延在する、前記高坪量部よりも坪量の低い縦溝部を更に有する
請求項１から３のうちいずれか１項に記載の吸収性物品。
【請求項５】
前記吸収性コアは、前記中間コア部と前記後方コア部との境界に、幅方向に沿って前記低坪量部よりも坪量が低い境界溝部を有する
請求項１から請求項４のうちいずれか１項に記載の吸収性物品。